(57)【要約】【課題】比較的簡単な構造で、キャップを確実にロックすることができ、さらに、包装廃棄物を発生させずに、キャップにタンパーエビデント性を付与することにより、蓋体の開栓作業と封印解除作業を同時に行うことができるキャップ及びキャップ付き容器を安価に提供することを課題とする。【解決手段】開口部を有するキャップ基体と、前記キャップ基体の開口部を開閉自在に覆う蓋体とを備え、前記キャップ基体と前記蓋体とをロックするロック機構を持つキャップであって、前記ロック機構は、前記キャップ基体の周壁に形成される少なくとも一つの係止凸部と、前記蓋体に破断部を介して形成される前記係止凸部と係止可能な係止片とからなり、前記係止凸部と前記係止片とが係止された状態で前記蓋体を開栓させると、前記係止片が前記係止凸部と係止されたまま前記破断部で前記蓋体から破断されることを特徴とするキャップ。【選択図】図１
2014129104.tif 000002
【特許請求の範囲】
【請求項１】
開口部を有するキャップ基体と、前記キャップ基体の開口部を開閉自在に覆う蓋体とを備え、前記キャップ基体と前記蓋体とをロックするロック機構を持つキャップであって、
前記ロック機構は、前記キャップ基体の周壁に形成される少なくとも一つの係止凸部と、前記蓋体に破断部を介して形成される前記係止凸部と係止可能な係止片とからなり、
前記係止凸部と前記係止片とが係止された状態で前記蓋体を開栓させると、前記係止片が前記係止凸部と係止されたまま前記破断部で前記蓋体から破断されること
を特徴とするキャップ。
【請求項２】
前記係止片に設けられた貫通穴に前記係止凸部が嵌め入れられることにより係止されることを特徴とする請求項１に記載のキャップ。
【請求項３】
前記係止片は、貫通穴の上下方向の長さが係止凸部の上下方向の長さより長く形成されており、前記貫通穴の上部に空隙が生じた状態で前記係止凸部に係止され、前記蓋体から破断されると同時に係止状態を維持したまま下方に移動することを特徴とする請求項１または請求項２に記載のキャップ。
【請求項４】
前記キャップ基体および／または蓋体は、前記係止片および前記破断部と重複する部分に色彩、文字、記号、あるいは図形の少なくともいずれかを用いてなる識別表示部が設けられており、前記係止片が下方に移動したときに前記識別表示部が露出する請求項３に記載のキャップ。
【請求項５】
前記キャップ基体と前記蓋体とがヒンジによって連設されていることを特徴とする請求項１ないし請求項４のいずれかに記載のキャップ。
【請求項６】
前記破断部には前記ヒンジからの距離が遠い側の端部に切り欠き部が設けられていることを特徴とする請求項５に記載のキャップ。
【請求項７】
請求項１ないし請求項６のいずれかに記載のキャップが容器の口部に配されていることを特徴とするキャップ付き容器。
【発明の詳細な説明】
【技術分野】
【０００１】
本発明は容器の口部に装着されるキャップ及びキャップ付き容器に関する。
【背景技術】
【０００２】
食品、化学品、化粧品、医薬品、洗剤、工業製品などの容器の口部に装着されるキャップとしてはオーバーキャップが従来から実用化されている。
【０００３】
この種のキャップには、容器の口部にキャップ本体が嵌合されることにより装着され、キャップ本体と蓋体とがヒンジによって連設されたヒンジキャップがある。（例えば、下記特許文献１参照）。
【０００４】
ヒンジキャップは、使用者が容器本体を掴み、親指で蓋体を押し上げたり、下げたりすることにより、片手で容器の開閉作業が可能であるため、作業性に優れている。しかしながら、商品の流通段階における衝撃や内容物による容器内の圧力上昇などにより、蓋体が開栓してしまい、内容物が漏れ出すおそれがあった。また、悪戯によって故意に蓋体が開栓されてしまい、内容物が改竄されるおそれもあった。
【０００５】
このため、容器のキャップをプラスチックフィルムによってシュリンク包装したり、キャップにタンパーエビデント機能を設けたりしたものが採用されている。
【０００６】
キャップにシュリンク包装を行う場合、開封時にシュリンクフィルムを取り外す作業が必要であるが、シュリンクフィルムはキャップ表面にしっかりと張り付いているため、剥がし辛く、開封作業が煩雑である。また、不要な廃棄物が増加してしまい、環境上好ましくない。
【０００７】
タンパーエビデント機能を設けたキャップとして、キャップ本体に設けられた係合片を蓋体の周壁上端部に開口した窓孔に対して、窓孔両端の周壁側縁内側に前方より乗り越えて係合させたものがある（例えば、下記特許文献２参照）。
【０００８】
しかしながら、係合片が開封時にキャップ本体から切り離されて落下してしまうため、包装廃棄物が発生してしまう。また、窓孔を乗り越えさせるためには、機構が複雑となり、製造コストが高くなるという問題が生じている。オーバーキャップは食品、化学品、化粧品、医薬品、洗剤、工業製品などの消耗品を収容するための容器に用いられることが多いため、安価であることが強く要望され、製造コストが高いことは決して無視できるものではない。
【先行技術文献】
【特許文献】
【０００９】
【特許文献１】特開２００１−１６３３４６号公報
【特許文献２】特開２００３−１６０１６２号公報
【発明の概要】
【発明が解決しようとする課題】
【００１０】
本発明はこのような従来技術の実情に鑑みてなされたものであり、比較的簡単な構造で、キャップを確実にロックすることができ、さらに、包装廃棄物を発生させずに、キャップにタンパーエビデント性を付与することにより、蓋体の開栓作業と封印解除作業を同時に行うことができるキャップ及びキャップ付き容器を安価に提供することを課題とする。
【課題を解決するための手段】
【００１１】
本発明者は上記課題を解決すべく、鋭意研究を重ねた結果、請求項１に係る発明は、開口部を有するキャップ基体と、キャップ基体の開口部を開閉自在に覆う蓋体とを備え、キャップ基体と蓋体とをロックするロック機構を持つキャップであって、ロック機構は、キャップ基体の周壁に形成される少なくとも一つの係止凸部と、蓋体に破断部を介して形成される係止凸部と係止可能な係止片とからなり、係止凸部と係止片とが係止された状態で蓋体を開栓させると、係止片が係止凸部と係止されたまま破断部で蓋体から破断されることを特徴とするキャップを提供するものである。
【００１２】
これによれば、キャップにおいて、比較的簡単な機構によって、流通段階などの衝撃や容器の内圧の上昇や悪戯による開栓を確実に防止することができる。さらに、キャップにタンパーエビデント性が付与されることにより、開栓作業と封印解除作業とを同時に行うことができるキャップを安価に提供できる。また、シュリンクフィルムなどによるキャップ包装の必要性がなく、封印解除後も係止片が係止凸部に係止されたままであるため、包装廃棄物の発生を防止することができる。なお、キャップ基体とは容器の口部に装着され容器と別部材からなるものだけでなく、スパウトなど容器にシールされたものや容器の口部に容器と一体に形成されるものが含まれるものとする。
【００１３】
請求項２に係る発明は、請求項１に係るキャップの発明において、係止片に設けられた貫通穴に係止凸部が嵌合されることにより係止されることを特徴とする。
【００１４】
これによれば、係止片の貫通穴に係止凸部が嵌め入れられることにより係止されているため、係止片が蓋体から破断され、封印機構が解除された状態であっても、係止片の脱落を確実に防止することができる。また、キャップ基体側に係止片が残るため、蓋体の開閉作業時に誤って、係止片が脱落することを防止できる。
【００１５】
請求項３に係る発明は、請求項１または請求項２に係るキャップの発明において、係止片は、貫通穴の上下方向の長さが係止凸部の上下方向の長さより長く形成されており、貫通穴の上部に空隙が生じた状態で係止凸部に係止され、蓋体から破断されると同時に係止状態を維持したまま下方に移動することを特徴とする。
【００１６】
これによれば、係止片が係止状態を維持したまま下方に移動することにより、蓋体と係止片との間に隙間が生じる。キャップのキャップ基体と蓋体本体の嵌合力が大きいと、開封作業で係止片が破断して封印が解除されたのか、既に封印が解除されていたのかの判断が困難な場合がある。しかしながら、蓋体と係止片との間に生じた隙間によって開封履歴を明確に判別でき、優れたタンパーエビデント性を備えたキャップを提供できる。
【００１７】
請求項４に係る発明は、請求項３に記載のキャップの発明において、キャップ基体および／または蓋体は、係止片および破断部と重複する部分に色彩、文字、記号、あるいは図形の少なくともいずれかを用いてなる識別表示部が設けられており、係止片が下方に移動したときに識別表示部が露出するキャップである。
【００１８】
これによれば、係止片が係止状態を維持したまま下方に移動することにより、色彩、文字、記号、あるいは図形の少なくともいずれかを用いてなる識別表示部が露出するため、開封履歴を明確に判別することができる。
【００１９】
請求項５に係る発明は、請求項１ないし請求項４のいずれかに記載のキャップの発明において、キャップ基体と蓋体とがヒンジによって連設されていることを特徴とする。
【００２０】
これによれば、キャップ基体と蓋体とがヒンジによって連設されているヒンジキャップにおいて、比較的簡単な機構によって、流通段階などの衝撃や容器の内圧の上昇や悪戯による開栓を確実に防止することができる。さらに、キャップにタンパーエビデント性が付与されることにより、開栓作業と封印解除作業とを同時に行うことができるキャップを安価に提供できる。また、シュリンクフィルムなどによるキャップ包装の必要性がなく、封印解除後も係止片が係止凸部に係止されたままであるため、包装廃棄物の発生を防止することができる。
【００２１】
請求項６に係る発明は、請求項５に記載のキャップにおいて、破断部にはヒンジからの距離が遠い側の端部に切り欠き部が設けられていることを特徴とする。
【００２２】
これによれば、ヒンジキャップにおいて、ヒンジを支点として蓋体を開栓させる際に、切り欠き部が起点となり、僅かな力で容易に係止片を破断させることができる。
【００２３】
請求項７に係る発明は、請求項１ないし請求項６のいずれかに記載のキャップが容器の口部に配されていることを特徴とするキャップ付き容器を提供するものである。
【００２４】
これによれば、キャップ付き容器において、比較的簡単な機構によって、流通段階などの衝撃や容器の内圧の上昇や悪戯による開栓を確実に防止することができる。さらに、キャップにタンパーエビデント性が付与されることにより、開栓作業と封印解除作業とを同時に行うことができるキャップを安価に提供できる。また、シュリンクフィルムなどによるキャップ包装の必要性がなく、封印解除後も係止片が係止凸部に係止されたままであるため、包装廃棄物の発生を防止することができる。
【発明の効果】
【００２５】
本発明によれば、比較的簡単な機構によって、流通段階などの衝撃や容器の内圧の上昇や悪戯による開栓を確実に防止することができる。さらに、キャップにタンパーエビデント性が付与されることにより、開栓作業と封印解除作業とを同時に行うことができるキャップを安価に提供できる。また、シュリンクフィルムなどによるキャップ包装の必要性がなく、封印解除後も係止片が係止凸部に係止されたままであるため、包装廃棄物の発生を防止することができる。
【図面の簡単な説明】
【００２６】
【図１】本発明の実施形態のキャップの斜視図である。
【図２】本発明の実施形態のキャップのＡ−Ａ線断面図である。
【図３】本発明の実施形態のキャップの使用状態を説明するための図である。
【図４】本発明の実施形態のキャップの使用状態を説明するための図である。
【図５】本発明の実施形態のキャップの使用状態を説明するための図である。
【図６】キャップのロック機構を説明するための図である。
【図７】キャップのロック機構を説明するための図である。
【発明を実施するための形態】
【００２７】
以下、本発明をその好ましい実施形態について図面を参照して説明する。
【００２８】
本発明の実施形態におけるキャップ１は、図１、図２に示すように、容器の口部に装着されるキャップ基体２と、キャップ基体２に設けられた注出口２１を開閉自在に覆う蓋体３と、キャップ基体２と蓋体３とを連設させるヒンジ４とを備えている。キャップ１はプラスチックからなり、キャップ基体２と蓋体３とヒンジ４とが、一体成形されるのが好ましい。プラスチックとしては、例えば、ポリエチレン、ポリプロピレンなどのポリオレフィンなどが挙げられる。
【００２９】
キャップ基体２は、下部の開口からパウチやボトルなどの容器の口部に装着される（図示せず）。キャップ基体２は、キャップ基体２の周壁の内面に設けられた雌ネジ部によって容器の口部と螺合により装着されたり、容器の口部に打栓されることにより装着される。キャップ基体２の上面中央部には円筒状の注出口２１が上方に突出して形成されている。注出口２１の径方向外側には注出口２１から垂れ落ちた内容物を受けるための液溜まり部２２が形成されている。
【００３０】
蓋体３は有頂形状であり、頂壁部の下面中央部には注出口２１に嵌め込まれる円筒状の閉栓部３１が形成されている。閉栓部３１の径方向外側には円筒状のシール部３２が頂壁部の下面から突出するように形成されている。閉栓部３１とシール部３２の間に形成される嵌入溝３３に注出口２１の先端が嵌め込まれ、先端が頂壁部と当接することによりキャップ基体２と蓋体３とがシールされ嵌合される。蓋体３の周壁のヒンジ４と反対側には、指を掛けて蓋体３を開閉させる指掛部３４が形成されている。
【００３１】
ヒンジ４はキャップ基体２の周壁の上方部と蓋体３の周壁とを連設している。ヒンジ４は幅方向中央部の厚肉部４１とその両側の薄肉部４２とから構成されている。蓋体３を９０度以上回動させると、薄肉部４２が反転する構造となっている。しかしながら、ヒンジ４の構造は特に限定されるものではなく、三点ヒンジ、バタフライヒンジ等その他ヒンジ機構を用いることもできる。
【００３２】
キャップ１にはキャップ基体２と蓋体３とをロックするロック機構を備えている。ロック機構は、係止凸部５と係止片６とが係止されることによりロックされる。詳細には、係止凸部５はキャップ基体２の周壁に外方向に突出するように形成されている。係止凸部５はヒンジ４に対して周方向９０度をなす位置に形成されている。係止凸部５はキャップ基体２の周壁から外方向に延びる基部５１と基部５１の先端に平面視で基部５１よりも左右両側に突出する突出部５２とからなる。係止凸部５はキャップ基体２と一体で成形されるのが好ましい。
【００３３】
係止片６は蓋体３の周壁下端部の位置に破断部６２を介して外方向に形成されている。係止片６の中央部には係止凸部５に対応する貫通穴６１が形成されている。破断部６２は係止片６よりも破断しやすい構造をしている。破断部６２は係止片６よりも厚みが薄くなるように形成されている。また、破断部６２にはヒンジ４からの距離が遠い側の端部に切り欠き部６３が設けられている。これにより、ヒンジキャップにおいて、ヒンジ４を支点として蓋体３を開栓させる際に、切り欠き部６３が起点となり、僅かな力で容易に係止片６を破断させることができる。
【００３４】
図３に示すように、蓋体３をキャップ基体２に嵌合させた状態で、係止片６を水平方向から下方に回動させる。すると、図４に示すように、係止片６の貫通穴６１に係止凸部５が嵌め込まれる。係止片６は係止凸部５の突出部５２を乗り越え、基部５１に達する。突出部５２の幅は貫通穴６１の幅よりも大きいため、係止状態を脱することができないようになっている。
【００３５】
図５に示すように、ロックされた状態で蓋体３を開栓させようとすると、係止片６が係止凸部５と係止した状態のまま、破断部６２において蓋体３と破断される。ロック機構にタンパーエビデント性が付与され、開栓作業と封印解除作業とを同時に行うことができる優れたキャップを提供することができる。
【００３６】
なお、図６に示すように、係止片６と係止凸部５との係止状態において、キャップ基体２と蓋体３との嵌合が外れない範囲内で、貫通穴６１の上下方向の長さが係止凸部５の基部５１の上下方向の長さより長く形成されて、かつ、係止凸部５と係止片６とを係合した状態で、貫通穴６１の上部に空隙６４が設けられるのが好ましい。さらに、貫通穴６１の左右方向の長さが基部５１の左右方向の長さよりも大きく形成されている。これにより、開栓によって破断部６２で係止片６が破断すると、図６に示すロック状態から僅かに係止片６が下方に移動する。図７に示すように、封印が解除された状態で閉栓すると、蓋体３の下端部と係止片６の上端部との間に隙間７が生じ、その隙間７を確認することによって、開封履歴を明確に判別することができる。ここで、上下方向、左右方向とは図６、図７の上下、左右をいうものとする。
【００３７】
ロック状態から蓋体３を開栓させる際に、係止片６が蓋体３と共に上方向に引っ張られるが、貫通穴６１の上部に空隙６４を設けた場合、蓋体３の可動領域を小さくすることができ、ロック状態において、蓋体３とキャップ基体２の嵌合が外れることを防止できる。
【００３８】
キャップ１はキャップ基体２の注出口２１と蓋体３本体の嵌入溝３３との嵌合力が大きいと、キャップの開封作業で係止片６が破断して封印が解除されたのか、既に封印が解除されていたのかの判断が困難な場合がある。しかしながら、蓋体３の下端部と係止片６の上端部との間に隙間７が生じているために、開封履歴を明確に判別できる。
【００３９】
さらに、キャップ基体２および／または蓋体３には、係止片６および破断部６２と重複する部分に色彩、文字、記号、あるいは図形の少なくともいずれかを用いてなる識別表示部を設け、係止片６が係止状態を維持したまま下方に移動することによって、その識別表示部が露出されるようにすることにより、タンパーエビデント性を向上させることができる。例えば、キャップ基体２を係止片６及び蓋体３と異なる色彩で形成させることにより、封印が解除された状態で閉栓した際に、係止片６が破断したことにより露出する蓋体３の下端部と係止片６の上端部との間の隙間７が蓋体３の下端部と係止片６の上端部と異なる色彩となり、開封履歴を明確に判別することができる。
【００４０】
上記実施形態において、キャップ基体２を係止片６及び蓋体３と異なる色彩で形成させた識別表示部を説明したが、係止片６が係止状態を維持したまま下方に移動することによって、識別表示部が露出され、明確に認識できるように形成させたものであればよい。
【００４１】
また、ロック機構を一つ形成させたものを説明したが、一つに限られるものではない。ロック機構を複数形成させることもできる。また、ロック機構をヒンジ４に対して周方向に９０度の位置に形成させたものを説明したが、これに限定されるものではない。
【００４２】
また、キャップ基体２と蓋体３がヒンジ４によって連設されたキャップについて説明したが、これに限定されるものではない。キャップはヒンジを持たず、キャップ基体と蓋体が連設されていないものであってもよい。キャップはオーバーキャップであればよく、スクリューキャップ、ツイストキャップなどでもよく、特に限定されるものではない。また、キャップ基体はスパウトなど容器にシールされたものや容器と一体に形成されたものであってもよい。
【００４３】
また、破断部６２は係止片６よりも厚みが薄くなるように形成されているもの、切り欠き部６３が設けられたものを説明したが、これに限定されるものではなく、易破断構造であればよい。
【符号の説明】
【００４４】
１  キャップ
２  キャップ基体
２１  注出口
２２  液溜まり部
３  蓋体
３１  閉栓部
３２  シール部
３３  嵌入溝
３４  指掛部
４  ヒンジ
４１  厚肉部
４２  薄肉部
５  係止凸部
５１  基部
５２  突出部
６  係止片
６１  貫通穴
６２  破断部
６３  切り欠き部
６４  空隙
７  隙間
【図１】
2014129104.tif 000003
【図２】
2014129104.tif 000004
【図３】
2014129104.tif 000005
【図４】
2014129104.tif 000006
【図５】
2014129104.tif 000007
【図６】
2014129104.tif 000008
【図７】
2014129104.tif 000009